(57)【特許請求の範囲】
【請求項１】
ヘッドマウントディスプレイデバイスであって、
ディスプレイデバイスと、イヤーピースデバイスと、接続機構と、を含み、
前記ディスプレイデバイスは、マルチメディア信号を出力して表示するために用いられ、且つその両端のそれぞれは着脱素子が接続され、
前記イヤーピースデバイスは、音声信号を出力するために用いられ、且つ一対の結合部を含み、
前記接続機構は、前記ディスプレイデバイスと前記イヤーピースデバイスの接続に用いられ、且つ一対の第一着脱モジュール及び一対の第二着脱モジュールを含み、前記ディスプレイデバイスの両端の着脱素子はそれぞれ一対の第一着脱モジュールに取り外し可能に接続され、前記イヤーピースデバイスの一対の結合部はそれぞれ一対の第二着脱モジュールに取り外し可能に接続され、
前記接続機構は一対のピン軸をさらに含み、各ピン軸は対応する前記第一着脱モジュールを貫通して対応する前記第二着脱モジュールに係合して、対応する前記第一着脱モジュール及び前記第二着脱モジュールの固定組立を実現する、
ことを特徴とするヘッドマウントディスプレイデバイス。
【請求項２】
前記第一着脱モジュールは、
操作部及び駆動部を含む第一スライドノブと、第一ベースと、第一弾性片と、を含み、
前記第一ベースは、シュートと、接続溝と、を含み、
前記シュートは、第一ベース内のシュートスペースと、前記シュートスペースから第一ベースの外表面に伸びるように形成されるシュートノッチとを含み、前記操作部は前記シュートノッチにあり、前記駆動部はシュートスペースの内にあり、前記操作部によって、前記駆動部を駆動させてシュートスペースの内にスライドされ、
前記接続溝は、前記シュートに沿って拡張する接続スペースと、前記接続スペースから前記第一ベースの外表面に伸びるように形成される接続ノッチと、前記接続溝の内に設けられ且つ前記接続スペースに連通される位置決め部とを含み、
前記第一弾性片は、前記シュートの内にあり、前記第一スライドノブに接続され、
前記ディスプレイデバイスの着脱素子は、接続部と、前記接続部に設けられる固定部とを含み、
前記接続ノッチと、それに対応する前記シュートノッチとは、前記ディスプレイデバイスの着脱素子を装着するための装着口を構成し、前記接続スペースと、それに対応する前記シュートスペースとは、前記ディスプレイデバイスの着脱素子を装着するための装着スペースを構成し、前記第一スライドノブが前記接続スペースと並列する前記シュートスペースから離れてスライドしながら前記第一弾性片を圧縮変形させる場合、前記ディスプレイデバイスの着脱素子は前記装着口を通して前記装着スペースに入れるか又は前記装着口によって取り外され、前記接続部は前記接続スペースに収容され且つ前記固定部は前記位置決め部に入れると、前記第一スライドノブは、前記第一弾性片が変形によって形成される弾力の作用によって、前記接続スペースと並列する前記シュートスペースに戻り、前記接続部に当接して、前記固定部は前記位置決め部に制限される、
ことを特徴とする請求項１に記載のヘッドマウントディスプレイデバイス。
【請求項３】
前記ヘッドマウントディスプレイデバイスはヘッドマウントブラケットをさらに含み、前記ヘッドマウントブラケットの両端のそれぞれは着脱素子が接続され、
前記接続機構は一対の第三着脱モジュールをさらに備え、前記ヘッドマウントブラケットの両端の着脱素子はそれぞれ一対の第三着脱モジュールに取り外し可能に接続され、
各ピン軸は対応する前記第一着脱モジュール及び前記第三着脱モジュールを貫通して対応する前記第二着脱モジュールに係合して、対応する前記第一着脱モジュール、前記第二着脱モジュール及び前記第三着脱モジュールの固定組立を実現する、
ことを特徴とする請求項１に記載のヘッドマウントディスプレイデバイス。
【請求項４】
前記第三着脱モジュールは、
それぞれ操作部及び駆動部を含む２つの第二スライドノブと、第二ベースと、第二弾性片と、を含み、
前記第二ベースは、シュートと、接続溝と、を含み、
前記シュートは、第二ベース内のシュートスペースと、前記シュートスペースから第二ベースの外表面に伸びるように形成されるシュートノッチとを含み、前記シュートスペースの内に固定座が設けられ、２つの前記第二スライドノブは前記シュートのスライド方向に沿って並列するように前記シュートの内に設けられ、２つの前記操作部は前記シュートノッチに並列するようにあり、２つの前記駆動部は前記固定座の両側にあり、２つの前記第二スライドノブの操作部は各自の駆動部を駆動させて、２つの前記第二スライドノブはシュートスペースの内にスライドされ、
前記接続溝は、前記シュートに沿って拡張する接続スペースと、前記接続スペースから前記第二ベースの外表面に伸びるように形成される接続ノッチと、前記接続溝の内に設けられ且つ前記接続スペースに連通される位置決め部とを含み、
前記第二弾性片は、Ｕ形であり、前記固定座に固定され、且つ２つの前記第二スライドノブに接続され、
前記ヘッドマウントブラケットの着脱素子は、接続部と、前記接続部に設けられる固定部とを含み、
前記接続ノッチと、それに対応する前記シュートノッチとは、前記ヘッドマウントブラケットの着脱素子を装着するための装着口を構成し、前記接続スペースと、それに対応する前記シュートスペースとは、前記ヘッドマウントブラケットの着脱素子を装着するための装着スペースを構成し、２つの前記第二スライドノブは互いに離れる方向に向かって前記接続スペースと並列する前記シュートスペースから離れてスライドしながら前記第二弾性片を圧縮変形させる場合、前記ヘッドマウントブラケットの着脱素子は前記装着口を通して前記装着スペースに入れるか又は前記装着口によって取り外され、前記接続部は前記接続スペースに収容され且つ前記固定部は前記位置決め部に入れると、２つの前記第二スライドノブは、前記第二弾性片が変形によって形成される弾力の作用によって、互いに近付く方向に向かってスライドして前記接続スペースと並列する前記シュートスペースに戻り、前記接続部に当接して、前記固定部は前記位置決め部に制限される、
ことを特徴とする請求項３に記載のヘッドマウントディスプレイデバイス。
【請求項５】
前記第二着脱モジュールは、
弾性片主体と、前記弾性片主体の両端のそれぞれに位置するフック部及び弾性支持部とを含む弾性フックと、
分割式の第一ネジ壁を含む圧着ネジ管と、
前記第一ネジ壁と螺合可能な第二ネジ壁を含む螺合ナットと、
枠と、前記枠内のセパレータと、前記セパレータと前記枠との間に設置され且つ前記第一ネジ壁に対応する貫通溝と、隣接する貫通溝の間に設けられ且つ前記弾性支持部を収容するように構成される固定溝とを含む固定ベースと、を含み、
前記第一ネジ壁は前記固定ベースの一側にあり、前記貫通溝を通して他側の前記第二ネジ壁と螺合し、
前記螺合ナットを回転して、前記螺合ナットと前記圧着ネジ管とを互いに近くさせる場合、前記圧着ネジ管の底部は前記固定ベースの固定溝内の弾性支持部に押し動かして、前記フック部は前記弾性支持部の作用によって相対に閉じ、前記イヤーピースデバイスの結合部をチャッキングするが、反対方向に前記螺合ナットを回転して、前記螺合ナットと前記圧着ネジ管が互いに離れる場合、前記フック部は前記弾性支持部の作用によって相対に開く、前記イヤーピースデバイスの結合部が取り外され得る、
ことを特徴とする請求項２に記載のヘッドマウントディスプレイデバイス。
【請求項６】
前記弾性片主体と前記弾性支持部の間に固定軸が設けられ、前記固定溝は、前記固定軸を固定する軸孔をさらに含むことを特徴とする請求項５に記載のヘッドマウントディスプレイデバイス。
【請求項７】
前記ピン軸は、歯形構造と、回転角軸と、停止位置フックと、を含み、
前記第一ベースは、第一貫通軸孔を含み、前記第一貫通軸孔の内壁が前記歯形構造と噛み合う噛合弾性片を含み、
前記固定ベースのセパレータの軸心に前記回転角軸と係合する貫通孔と、前記停止位置フックに対応して係合する挟持溝と、が設けられる、
ことを特徴とする請求項５に記載のヘッドマウントディスプレイデバイス。
【請求項８】
前記ピン軸は制限部をさらに含み、
前記第二ベースは第二貫通軸孔を含み、前記第二貫通軸孔の内輪面が前記制限部と係合するスナップフィット凹溝を含む、
ことを特徴とする請求項４に記載のヘッドマウントディスプレイデバイス。
【請求項９】
着脱モジュールであって、ヘッドマウントディスプレイデバイスのディスプレイデバイスが有する着脱素子と着脱可能とするために構成され、前記着脱素子は接続部及び前記接続部に設けられる固定部を含み、前記着脱モジュールは、
操作部及び駆動部を含むスライドノブと、ベースと、弾性片と、を含み、
前記ベースは、シュートと、接続溝とを含み、
前記シュートは、ベース内のシュートスペースと、前記シュートスペースからベースの外表面に伸びるように形成されるシュートノッチとを含み、前記操作部はシュートノッチにあり、前記駆動部はシュートスペースの内にあり、前記操作部によって、前記駆動部を駆動させてシュートスペースの内にスライドされ、
前記接続溝は、前記シュートに沿って拡張する接続スペースと、前記接続スペースからベースの外表面に伸びるように形成される接続ノッチと、接続溝の内に設けられ且つ前記接続スペースに連通される位置決め部とを含み、
前記弾性片は、前記シュートの内にあり、前記スライドノブに接続される、
ことを特徴とする着脱モジュール。
【請求項１０】
前記接続スペースは前記シュートの幅方向に沿って拡張することを特徴とする請求項９に記載の着脱モジュール。
【請求項１１】
前記接続溝の拡張距離は、前記着脱素子の最大幅より小さく、
前記接続溝の拡張距離と前記シュートの幅の合計は前記着脱素子の最大幅より大きいことを特徴とする請求項１０に記載の着脱モジュール。
【請求項１２】
着脱モジュールであって、ヘッドマウントディスプレイデバイスのイヤーピースデバイスが有する結合部と着脱可能とするために構成され、
弾性片主体と、弾性片主体の両端のそれぞれに位置するフック部及び弾性支持部とを含む弾性フックと、
分割式の第一ネジ壁を含む圧着ネジ管と、
前記第一ネジ壁と螺合可能な第二ネジ壁を含む螺合ナットと、
枠と、前記枠内のセパレータと、前記セパレータと前記枠との間に設置され且つ前記第一ネジ壁に対応する貫通溝と、隣接する貫通溝の間に設けられ且つ前記弾性支持部を収容するように構成される固定溝とを含む固定ベースと、を含み、
前記第一ネジ壁は固定ベースの一側にあり、前記貫通溝を通して他側の前記第二ネジ壁と螺合する、
ことを特徴とする着脱モジュール。
【請求項１３】
前記弾性片主体と前記弾性支持部の間に固定軸が設けられ、前記固定溝は、前記固定軸を固定する軸孔をさらに含むことを特徴とする請求項１２に記載の着脱モジュール。
【発明の詳細な説明】
【技術分野】
【０００１】
本出願は接続機構に関し、特にモジュール化されたヘッドマウントディスプレイデバイス及び該ヘッドマウントディスプレイデバイスを実現するためのモジュール化された着脱モジュールに関する。
【背景技術】
【０００２】
ヘッドマウントディスプレイデバイス（ＨＭＤ,Ｈｅａｄ  Ｍｏｕｎｔｅｄ  Ｄｉｓｐｌａｙ）は、眼前表示技術を採用し、1組の光学システム（主に精密光学レンズ）によって、極微小ディスプレイスクリーンにおける映像を拡大し、目の網膜に映像を投射するため、観察者の眼中において大きいスクリーン映像を示す。ヘッドマウントディスプレイデバイスの外形は、基本的にメガネに類似するため、ビデオ眼鏡（ｖｉｄｅｏ  ｇｌａｓｓｅｓ）と心象的に呼ばれている。それにより、ポータブルのホームシアターの製品概念を提唱する。
【０００３】
ヘッドマウントディスプレイデバイスは、「ホームシアター」の携行およびポータブルの概念を製品化とするが、既存の製品においては、イヤーピースデバイスとディスプレイデバイスを組み合わせても、それらの相対位置が限定されるので、製品の形状は固定され、占有スペース及び体積が大きく、ポータブルが制限される。
【０００４】
これに基づいて、既存の製品は、有線でインナーイヤー型のヘッドホンを接続することにより、ヘッドマウントディスプレイデバイスのポータブルを向上するが、完全性を減らす、と同時に、イヤーピースデバイスに対して異なる需要を満たすことができない。
【０００５】
また、ヘッドマウントディスプレイデバイスは、音声出力部及びビデオ出力部の二つの構造を備えるが、二つの構造は同時に用いられることを必要とするので、製品の使用状態は単一になる。
【発明の概要】
【０００６】
本発明の目的は、前記の従来技術にある問題を解決するために、モジュール化されたヘッドマウントディスプレイデバイス及び着脱モジュールを提供することにある。
【０００７】
本発明によるヘッドマウントディスプレイデバイスは、マルチメディア信号を出力して表示するためのディスプレイデバイスと、音声信号を出力するためのイヤーピースデバイスと、ディスプレイデバイスとイヤーピースデバイスの接続に用いられる接続機構と、を含み、前記ディスプレイデバイス又はイヤーピースデバイスは着脱素子をさらに含み、前記接続機構は着脱モジュールをさらに含み、ディスプレイデバイス又はイヤーピースデバイスの着脱素子によって着脱モジュールに取り外し可能に接続される。
【０００８】
また、本発明による着脱モジュールは、操作部及び駆動部を含むスライドノブと、ベースと、弾性片と、着脱素子とを含む。前記ベースは、シュートと、接続溝とを含む。該シュートは、ベース内のシュートスペースと、シュートスペースからベースの外表面に伸びるように形成されるシュートノッチとを含み、該操作部はシュートノッチにあり、該駆動部はシュートスペースの内にあり、前記操作部によって、駆動部を駆動させてシュートスペースの内にスライドされる。該接続溝は、シュートに沿って拡張する接続スペースと、前記接続スペースからベースの外表面に伸びるように形成される接続ノッチと、接続溝の内に設けられる位置決め部とを含む。該弾性片は、シュートの内にあり、前記スライドノブに接続される。該着脱素子は、接続スペースに収容される接続部と、接続部に設けられる固定部とを含み、該固定部は位置決め部に組み立てられるように構成される。
【０００９】
また、本発明による着脱モジュールは、弾性フックと、圧着ネジ管と、螺合ナットと、固定ベースとを含む。弾性フックは、弾性片主体と、弾性片主体の両端のそれぞれに位置するフック部及び弾性支持部とを含む。圧着ネジ管は、分割式の第一ネジ壁を含む。螺合ナットは、第一ネジ壁と螺合可能な第二ネジ壁を含む。固定ベースは、第一ネジ壁に対応する貫通溝と、隣接する貫通溝の間に設けられ、弾性支持部を収容するように構成される固定溝とを含む。第一ネジ壁は固定ベースの一側にあり、貫通溝を通して他側の第二ネジ壁を接続する。
【００１０】
本発明の実施例によるヘッドマウントディスプレイデバイスは、接続機構において着脱モジュールを設けることによって、デバイスのモジュール化を実現し、異なる使用需要に応じて、都合よく分解かつ組み立てることができるため、デバイスの使用状態が多様に広がり、また、速く着脱する着脱モジュールを提供する。
【図面の簡単な説明】
【００１１】
【図１】図１は、本発明の実施例によるヘッドマウントディスプレイデバイスの構造の概略図である。
【図２】図２は、本発明の第一実施例の第一実施形態による着脱モジュールの構造の概略図である。
【図３】図３は、本発明の第一実施例の第一実施形態によるベースの構造の透視図である。
【図４】図４は、本発明の第一実施例の第一実施形態によるベースの構造の概略図である。
【図５】図５は、本発明の第一実施例の第一実施形態によるスライドノブ及び弾性片の構造の概略図である。
【図６】図６は、本発明の第一実施例の第一実施形態による着脱素子の構造の概略図である。
【図７】図７は、本発明の第一実施例の第二実施形態による着脱モジュールの断面図である。
【図８】図８は、本発明の第一実施例の第二実施形態によるベースと着脱素子の固定組立の上面透視図である。
【図９】図９は、本発明の第一実施例の第二実施形態によるさらなるベースと着脱素子の固定組立の上面透視図である。
【図１０】図１０は、本発明の第一実施例の第三実施形態による着脱モジュールの構造の概略図である。
【図１１】図１１は、本発明の第一実施例の第三実施形態によるベースの構造の概略図である。
【図１２】図１２は、本発明の第一実施例の第三実施形態によるスライドノブの構造の概略図である。
【図１３】図１３は、本発明の第二実施例による着脱モジュールの構造の概略図である。
【図１４】図１４は、本発明の第二実施例による着脱モジュールの分解の概略図である。
【図１５】図１５は、本発明の第三実施例によるヘッドマウントディスプレイデバイスの分解状態の概略図である。
【図１６】図１６は、本発明の第三実施例による接続機構の分解の概略図である。
【図１７】図１７は、本発明の第三実施例によるベース及びピン軸の装着の概略図である。
【図１８】図１８は、本発明の第一実施例の第一実施形態によるさらなる着脱素子の構造の概略図である。
【発明を実施するための形態】
【００１２】
本発明の目的、技術手段及び利点をより明瞭にするために、以下に、実施形態及び図面を参照しながら本発明をより詳しく説明する。ここで記載される実施形態は、本発明を説明するためだけのものであって、本発明を制限するものではないと理解されるべきである。
【００１３】
本発明の説明において、「第一」と「第二」は、ここでは記述目的で使用されており、相対的な重要性を指し又は暗示しまたは示される技術的特徴の数を暗示する意味がないと理解すべきである。このため、「第一」、「第二」と限定されている特徴は、一つまたはさらに多くの当該特徴を有することを明示または暗示していることになる。本発明の説明において、別途の明確的かつ具体的な限定がない限り、「複数」は二つまたはそれ以上を意味する。
【００１４】
本発明の説明において、明確な規定と限定がない限り、「装着」、「互いに接続」、「接続」の意味は広く理解されるべきである。例えば、固定的な接続であってもよく、取り外し可能な接続であってもよく、または一体型接続であってもよく、機械的な接続であってもよく、電気的な接続または互いに通信可能であってもよく、直接的に接続されてもよく、または、中間媒体を介して間接的に接続されてもよく、二つの素子の内部が連通されてもよく、二つの素子の互いに作用関係であってもよい。当業者にとって、具体的な状況に応じて上記用語の本発明における具体的な意味を理解することができる。
【００１５】
以下の説明は、本発明の異なる構造を実現するための複数の異なる実施形態または実施例を提供した。本発明を説明しやすくするために、以下の説明は特定の例の素子及び設定について説明する。言うまでもなく、それらは例示だけであり、本発明を制限するものではない。また、本発明は、異なる例示において、参照番号及び／又は参照文字を繰り替えしてもよく、これらの繰り替えは簡略化および明瞭を意図したものであり、それらは説明した様々な実施形態及び／又は設定の間の関係を指すものではない。さらに、本発明は様々な特定の技術及び材料の例を提供するが、当業者は他の技術の応用及び／又は他の材料の使用を意識することができる。
【００１６】
図１は、本発明の好ましい実施例によるヘッドマウントディスプレイデバイスである。該ヘッドマウントディスプレイデバイスは、マルチメディア信号を出力して表示するためのディスプレイデバイス６と、音声信号を出力するためのイヤーピースデバイス７と、ディスプレイデバイス６とイヤーピースデバイス７の接続に用いられる接続機構８と、を含み、ディスプレイデバイス６又はイヤーピースデバイス７は着脱素子をさらに含み、接続機構８は着脱モジュールをさらに含み、ディスプレイデバイス６又はイヤーピースデバイス７の着脱素子によって着脱モジュールに取り外し可能に接続される。
【００１７】
本発明によるヘッドマウントディスプレイデバイスは、接続機構において着脱モジュールを設けることによって、デバイスのモジュール化を実現し、異なる需要に応じて、都合よく分解かつ組み立てることができるため、デバイスの使用状態が多様に広がり、また、該モジュール分解は製品の携帯性を向上し、固定形状のヘッドマウントディスプレイデバイスに対して携帯スペースを有効的に省スペース化する
【００１８】
以下、着脱モジュール及び着脱素子の異なる実施例について本発明の原理を説明する。
【００１９】
［第一実施例］
図２〜図６は、本発明の第一実施例による着脱モジュールである。該着脱モジュールは、操作部１１及び駆動部１２を含むスライドノブ１と、ベース２と、弾性片３と、着脱素子４とを含む。該ベース２は、ディスプレイデバイス６またはイヤーピースデバイス７の１つの一部分であってもよく、ベース２はシュート２１と、接続溝２２とを含む。該シュート２１は、ベース２内のシュートスペース２１１と、シュートスペース２１１からベース２の外表面に伸びるように形成されるシュートノッチ２１２とを含み、操作部１１はシュートノッチ２１２にあり、駆動部１２はシュートスペース２１１の内にあり、操作部１１によって、駆動部１２を駆動させてシュートスペース２１１の内にスライドされる。該接続溝２２は、シュート２１に沿って拡張する接続スペース２２１と、接続スペース２２１からベース２の外表面に伸びるように形成される接続ノッチ２２２と、接続溝２２の内に設けられる位置決め部２２３とを含む。該弾性片３は、シュート２１の内にあり、スライドノブ１を接続する。該着脱素子４は、ディスプレイデバイス６またはイヤーピースデバイス７の１つの一部分であってもよい。着脱素子４は、接続スペース２２１に収容される接続部４１と、接続部４１に設けられる固定部４２とを含み、該固定部４２は位置決め部２２３に組み立てられるように構成される。
【００２０】
スライドノブ１を操作する操作部１１は、図３における左右方向にスライドされることにより、スライドノブ１を駆動することができる駆動部１２はシュートにおいて着脱素子４に当接されまたは当接されない位置（即ち、接続ノッチ２２２と位置合わせする位置、または接続ノッチ２２２と完全にずれる位置）にあり、着脱素子４の固定部４２は位置決め部２２３に制限されることを実現して組み立てる固定状態に達し、及び、着脱素子４の固定部４２を位置決め部２２３から離脱させることもでき取り外し可能な状態に達する。
【００２１】
該実施例によるベース２は、円環状であり、これに応じて、該形状によく合わせるために、スライドノブ１の操作部１１は、円環の外表面の弧度に応じた弧形であるが、本発明の着脱モジュールはこれに限定されていない。ベース２の形状は、具体的な製品の形状によって設定され得、これに応じて、ベース２の形状によく合わせるために、スライドノブ１の操作部１１は、ベース２のシュートノッチ２１２が設けられる外表面と密着しかぶせて設けられ得る。
【００２２】
該方法によって、二つのアセンブリーの組み立て及び取り外しを都合よく速く実現することができ、該着脱モジュールの応用は製品のモジュール化を実現することができる。
【００２３】
以下、第一実施例による着脱モジュールの異なる実施形態によって原理をさらに説明する。
【００２４】
＜第一実施形態＞
接続スペース２２１はシュート２１の幅方向に沿って拡張する。スライドノブ１のシュート２１でスライドする方向（図３における左右方向）はシュートの長さの方向であり、これに応じて、該長さの方向と垂直な方向は、シュートの幅方向（図４における左右方向）である。図４〜図６に示すように、接続溝２２の幅方向に沿う拡張距離ｄ２は、着脱素子４の最大幅Ｄｍａｘより小さい。接続溝２２の拡張距離ｄ２とシュート幅ｄ１の合計ｄ１+ｄ２は着脱素子４の最大幅Ｄｍａｘより大きい。
【００２５】
装着の場合、スライドノブ１の操作部１１にシュートの長さの方向に接続スペース２２１から離れる方向の作用力を加えるため、駆動部１２はシュートスペース２１１及び接続スペース２２１と並列するシュートスペースＸ（図３における破線からなるスペース）から離れてスライドする。該実施例において、スライドノブ１は、シュートスペースＸから離れてスライドする過程において、弾性片３が圧縮変形され、接続ノッチ２２２と、それに対応するシュートノッチＹ（図４における破線からなるスペース）とは、装着口を構成し、接続スペース２２１とシュートスペースＸとは、装着スペースを構成する。着脱素子４は、接続部４１及び固定部４２でベース２と接合するように構成され、この時、装着口を通して装着スペースに入れる。装着スペースに入れ、固定部４２をベース２の位置決め部２２３に組み立てた後、接続部４１は接続スペース２２１に収容されることにより、シュートスペースＸを解放し、この時、スライドノブ１の駆動部１２は、弾性片３が変形によって形成される弾力の作用によって、シュートスペースＸに戻り、接続部４１を当接するため、固定部４２は位置決め部２２３に制限される。そのため、着脱素子４は接続スペース２２１から離脱することができないので、図２に示すように、固定組立を実現することができる。
【００２６】
該実施形態の位置決め部２２３は制限溝の構造を採用する（該実施例において制限溝２２３を示す）。接続スペース２２１のシュートスペースＸと対向する面で固定部４２が収容される制限溝２２３を設ける。好ましい実施形態において、接続溝２２は幅方向の拡張距離ｄ２に沿って接続部４１の幅に対応し、該対応は接続スペース２２１が接続部４１にちょうど係合に収容されることを意味する。また、固定部４２は制限溝２２３に係合された後、スライドノブ１の駆動部１２をシュートスペースＸに復帰させ、接続部４1は接続スペース２２１に制限され、固定部４２は制限溝２２３に固定され、着脱素子４はベース２に固定して接合されることを実現する。該実施例による係合形態は、組み立て後の製品の一体性を向上する。
【００２７】
着脱素子４をベース２から取り外す時、スライドノブ１の操作部１１にシュートの長さの方向に接続スペース２２１から離れる方向の作用力を加え、駆動部１２は接続スペース２２１に対応するシュートスペースＸから離れてスライドする。すなわち、着脱素子４は、装着スペースによって、固定部４２を制限溝２２３から離脱させることができ、接続部１１及び固定部４２は装着口によって取り外され得る。
【００２８】
他の実施形態において、図１８に示すように、固定部４２は接続部４１の長さの方向から伸びる一側または両側の突起構造であってもよい。それに応じて、位置決め部２２３は、接続部４１の一側または両側の突起に対応して設けられる凹溝であってもよく、すなわち、前記長さの方向に接続スペース２２１の一対の側面であってもよい。該凹溝は、シュートスペース２１１に向かって通る開口を含み、すなわち、着脱素子４は、シュートノッチ２１２を通してシュートスペースＸに伸びる。突起は開口の位置に合わせる時、すなわち、開口を通して凹溝にスライドして入ることができるため、接続部４１は接続スペース２２１に入れられる。その後、シュートスペースＸを開放し、スライドノブ１を弾性片３の復元力により、シュートスペースＸに戻させるため、接続部４１はシュートスペース２１１に制限され、突起は凹溝に制限され、そのため、固定組立を実現する。
【００２９】
好ましくは、図５に示すように、スライドノブ１の駆動部１２は、フック１３をさらに設ける。それに応じて、シュートスペース２１１にフック１３に対応するスライドレール２３が設けられるため、駆動部１２をシュートスペースＸにスライドする時、シュート２１から離脱しない。言うまでもなく、他の実施形態において、設けられる駆動部１２の長さＬ１は、接続スペース２２１の長さＬ２より大きくてもよく、すなわち、駆動部１２はシュート２１から離脱しなくて接続スペース２２１に落ちない。
【００３０】
＜第二実施形態＞
また、接続スペース２２１はシュート２１の長さ方向に沿って拡張できる。接続溝２２の拡張距離ｄ２は接続部４１の幅ｄ３より大きいまたは同じである。図７、８に示すように、この実施形態において、弾性片３は接続溝２２に復帰する復元力をスライドノブ１に提供する。
【００３１】
スライドノブ１にシュート２１の長さ方向の作用力を加える時、スライドノブ１は接続溝２２から離れてスライドし、この過程において、スライドノブ１は弾性片３を変形させる。ベース２と接合するように構成される着脱素子４の接続部４１および固定部４２は、接続ノッチ２２２を通して接続スペース２２１に入れられる。接続スペース２２１を入れた後、固定部４２はベース２の位置決め部２２３に組み立てられ、一部の接続スペースを解放し、すなわち、ｄ２-ｄ３が対応するスペースを解放する。スライドノブ１は弾性片３の変形によって生成する回復力により、スライドノブ１を該解放する一部の接続スペースに戻させるため、固定部４２は位置決め部２２３に制限され、固定組立を実現する。
【００３２】
該実施形態の位置決め部２２３及び固定部４２は第一実施形態を参照することができ、制限溝２２３の形態を採用することにおいて、シュート２１と接続溝２２とは一体化した槽体を形成し、すなわち、図８に示すように、シュート２１と接続溝２２との平面図は、「Ｉ」のような形状を形成する。該実施形態において、接続溝２２の拡張距離ｄ２は接続部の幅ｄ３と同じであってもよい。突起及び凹溝の手段を採用する時、図９に示すように、シュート２１と接続溝２２との平面図は、「Ｔ」のような形状を形成する。着脱素子４の固定部４２は、接続部４１の長さの方向の一側または両側に設けられる。それに応じて、接続スペース２２１は凹溝２２３が一部に設けられるスペースを含み、着脱素子４は凹溝２２３が設けられるスペースを通して入れられる。固定部４２は凹溝２２３の開口に対応する時、開口に沿って入れられ、接続部４２は凹溝２２３からなる制限スペースに係合され、一部の接続スペースを解放し、すなわち、ｄ２-ｄ３が対応するスペースを解放する。スライドノブ１を弾性片３が変形によって生成する回復力により、該解放する一部の接続スペースに戻させるため、固定部４２は位置決め部２２３に制限され、固定組立を実現する。
【００３３】
＜第三実施形態＞
前記１つのスライドノブ１は弾性片３の回復力により、固定部４２は位置決め部２２３に制限され、組み立てを実現する原理に基づいて、本発明の実施形態は、図１０、１１、１２に示すように、二つのスライドノブをさらに含むことができる。
【００３４】
二つのスライドノブ１はシュート２１のスライド方向に沿って並列するようにシュート２１の内に設けられる。スライドノブ１は互いに離れる方向にシュート２１でスライドして一部のシュートを解放し、接続溝２２は解放したシュートの幅方向に沿って拡張するように設けられる。該実施例において、図６に示す着脱素子４を例として説明する。それから、第一実施形態と類似し、接続溝２２の該幅方向に沿う拡張距離は、着脱素子４の最大幅Ｄｍａｘより小さい。接続溝２２の拡張距離とシュート幅の合計は着脱素子４の最大幅Ｄｍａｘより大きい。
【００３５】
好ましい実施形態において、一つの弾性片３のみを設けることができ、該弾性片３の両端のそれぞれは、二つのスライドノブ１に接続される。具体的に、図１１に示すように、シュートスペース２１１の内に固定座３１が設けられる。該実施例は「Ｕ」形に類似する弾性片３を採用し、該弾性片３は、二つの弾性アーム及び二つの弾性アームを接続する底部を含む。底部は固定座３１に固定され、二つの弾性アームのそれぞれは、二つの駆動部１２のスライド方向と垂直な側面に接続され、該側面はスライド方向に対向する外側面である。駆動部１２のそれぞれは、二つの操作部１１の互いに近くの端部に設けられる。該好ましい実施例において、初めの状態において、二つの駆動部１２はシュート内に平行に密着される。弾性片３の両端のそれぞれは、駆動部１２の互いに密着する側に対向する側に接続され、すなわち、外力をスライドノブ１に加えない時、二つのスライドノブ１は接続溝２２に対応するシュート２１領域を閉じる。二つのスライドノブ１を分離するための力を加える時、弾性片３が形変をし、二つのスライドノブ１を、着脱素子４の長さが十分に収容されるシュート２１領域を解放するまで分離し、該領域は接続溝２２に対応する。すなわち、接続ノッチ２２２と解放するシュート２１領域のシュートノッチ２１２とは、装着口を構成し、接続スペース２２１と解放するシュート２１領域のシュートスペース２１１とは、装着スペースを構成する。接続溝２２の拡張距離とシュート幅の合計は着脱素子４の最大幅Ｄｍａｘより大きいので、着脱素子４は装着口を通して装着スペースに入れることができる。着脱素子４の固定部４２が接続溝２２の位置決め部２２３に対応して収容される時、それらに対応するシュート２１領域を解放し、スライドノブ１は弾性片３の回復力によって初めの状態に復帰する。この時、接続溝２２の該幅方向に沿う拡張距離は、着脱素子４の最大幅Ｄｍａｘより小さいので、着脱素子４は接続溝２２に制限され得る。
【００３６】
好ましくは、図１２に示すように、スライドノブ１の駆動部１２は、フック１３をさらに設ける。それに応じて、シュートスペース１２１にフック１３に対応するスライドレール２３が設けられるため、駆動部１３を接続溝２２に対応するシュート２１領域にスライドする時、シュート２１から離脱しない。
【００３７】
［第二実施例］
図１３、１４に示すように、本発明の第二実施例による着脱モジュールは、弾性フック５２と、圧着ネジ管５３と、螺合ナット５０と、固定ベース５１とを含む。弾性フック５２は、弾性片主体５２１と、弾性片主体５２１の両端のそれぞれに位置するフック部５２２及び弾性支持部５２３とを含む。圧着ネジ管５３は、分割式の第一ネジ壁５３１を含む。螺合ナット５０は、第一ネジ壁５３１と螺合可能な第二ネジ壁５０１を含む。固定ベース５１は、第一ネジ壁５３１に対応する貫通溝５１１と、隣接する貫通溝５１１の間に設けられ、弾性支持部５２３を収容するように構成される固定溝５１２とを含む。第一ネジ壁５３１は固定ベース５１の一側にあり、貫通溝５１１を通して他側の第二ネジ壁５０１を接続する。
【００３８】
具体的に、固定ベース５１は、枠５１４と、枠５１４内のセパレータ５１５とを含み、固定溝５１２は、セパレータ５１５から圧着ネジ管５３の面に向いて伸びる二つの平面からなる収容スペースであってもよく、該スペースの内に弾性支持部５２３を収容するように構成される。それに応じて、圧着ネジ管５３は、固定溝５１２に対応して開口５３２を設け、即ち、固定溝５１２に係合され得る。同時に、該開口５３２は圧着ネジ管５３のネジ壁を分割式に形成する。圧着ネジ管５３の分割される第一ネジ壁５３１が貫通溝５１１を通して、螺合ナット５０の第二ネジ壁５０２を螺合する時、弾性フック５２の弾性支持部５２３が固定溝５１２内に収容され、フック部５２２は開口５３２と固定溝５１２との間の残留された空隙を通して圧着ネジ管５３の外側に伸びるため、フック部５２２は外部を接続するための接続素子に係合され得る。例えば、本発明のヘッドマウントディスプレイデバイスのイヤーピースデバイスの結合部７１は、接続素子として、フック部５２２に係合され得るステップおよびフック部５２２に制限される溝を設けることによって実現する。
【００３９】
好ましくは、弾性フック５２の弾性主体５２１と弾性支持部５２３の間に、固定軸５２４が設けられる。それに応じて、固定溝５１２は、前記固定軸５２４を固定する軸孔５１２１をさらに含む。
【００４０】
以下、該実施形態による着脱モジュールの作動原理を説明する。
【００４１】
螺合ナット５０は圧着ネジ管５３と螺合する状態にあるため、フック部５２２をイヤーピースデバイス７の結合部に入れることができる時、螺合ナット５０を時計回りまたは反時計回りに回転し、螺合ナット５０と圧着ネジ管５３とを互いに近くさせる。螺合する過程において、圧着ネジ管５３は、固定ベース５１の貫通溝５１１の内で軸方向に移動する。螺合ナット５０に向いて軸方向に移動する過程において、圧着ネジ管５３の底部を押し動かして固定ベース５１の固定溝５１２内の弾性支持部５２３に固定して、弾性支持部５２３を押し動かした後、固定軸５２４に沿って回転する。この時、フック部５２２は、圧着ネジ管５３が弾性フック５２を押し動かしてイヤーピースデバイス７の結合部７１をチャッキングする位置に移動して、相対に閉じる。この時、イヤーピースデバイス７の装着過程を実現する。
【００４２】
これを取り外す過程は、装着過程の時の回転方向と反対方向に螺合ナット５０を回転すればよい。それにより、螺合ナット５０と圧着ネジ管５３を互いに離れ、すなわち、圧着ネジ管５３は軸方向に沿って外側に移動する。同時に、フック部５２２は、弾性支持部５２３の作用によって相対に開く、最終的には、イヤーピースデバイス７の結合部７１が取り外され得る開き角度に達する。
【００４３】
好ましくは、ユーザが操作しやすいために、螺合ナット５０の外輪表面にすべりにくい溝５０２が設けられる。螺合ナット５０の環状は、操作部を構成し、操作部の内に第二ネジ壁５０１を構成することが理解されるべきである。
【００４４】
該実施例において、螺合ナット５０は環状であり、第二ネジ壁５０１は内輪表面に設けられ、圧着ネジ管５３の第一ネジ壁５３１は外表面に設けられる。しかし、他の実施形態において、螺合ナットは、方形または円形の操作部および操作部中心から伸びる円柱体であってもよく、円柱体の外表面に第二ネジ壁５０１が形成される。それに応じて、圧着ネジ管５３の第一ネジ壁５３１は内表面に設けられる。
【００４５】
以上の通り、図１５に示すように、本発明の好ましい実施例によるヘッドマウントディスプレイデバイス１００は、それの接続機構８が図１６の組み立て形態を採用することができる。ディスプレイデバイス６の両端のそれぞれは、着脱素子６４を接続し、該着脱素子６４は前記実施例による着脱素子４を参考することができる。ここでの接続は、一体化の構造であってもよく、セパレート型組み立て構造であってもよいことが理解されるべきである（以下同様）。ディスプレイデバイス６の前端は、着脱素子６４によって着脱可能に接続機構８のモジュールＡに接続され得る。該モジュールＡは、スライドノブ１Ａ、弾性片３Ａ、ベース２Ａを含む。モジュールＡは、着脱素子６４と接続されるように着脱モジュールを構成する。該構造及び原理は前記第一実施例の第一実施形態を参考することができ、詳しい説明がここで省略される。
【００４６】
好ましくは、ヘッドマウントディスプレイデバイス１００は、ヘッドマウントブラケット７７をさらに含む。ヘッドマウントブラケットの両端のそれぞれは、着脱素子７７４を接続し、該着脱素子７７４は、前記実施例による着脱素子４を参考することができる。ヘッドマウントブラケット７７は、着脱素子７７４によって着脱可能に接続機構８のモジュールＢに接続され得る。該モジュールＢは、スライドノブ１Ｂ、弾性片３Ｂ、ベース２Ｂを含む。該モジュールＢは、着脱素子７７４と接続されるように着脱モジュールを構成する。該構造及び原理は前記第一実施例の第三実施形態を参考することができる。
【００４７】
イヤーピースデバイス７は、接続機構８を接続するための結合部７１を含み、着脱モジュールＣによって着脱可能なことを実現することができる。着脱モジュールＣは、螺合ナット５０、固定ベース５１、弾性フック５２及び圧着ネジ管５３を含み、それの構造及び原理は前記第二実施例を参考することができる。
【００４８】
好ましくは、図１６、１７を参照して、該実施例の接続機構８は、ピン軸９をさらに含む。それに応じて、ベース２Ａ、２Ｂは、貫通軸孔２Ａ１、２Ｂ１を含む。ピン軸９は、前記貫通軸孔２Ａ１、２Ｂ１を貫通してイヤーピースデバイス７を接続するように構成される。
【００４９】
好ましくは、ピン軸９は歯形構造９１を含み、図３に示すように、貫通軸孔２Ａ１の内壁が、歯形構造９１と噛み合う噛合弾性片２Ａ２を含む。噛合弾性片２Ａ２とピン軸９における歯形構造９１を合わせてダンピング機能付きの回転構造を形成する。具体的に、ピン軸９は制限部９２をさらに含む。該制限部９２は、ベース２Ｂの貫通軸孔２Ｂ１の内輪面のスナップフィット凹溝２Ｂ２に対応するスナップフィット突起９２であり、ベース２Ｂを固定するように構成される。ベース２Ａは、ピン軸９に対して回転する時、ベース２Ｂは、それに従って回転しない。該回転構造は、ディスプレイデバイス６のマウント角度を多角度に調整することを実現することができる。該回転構造は、ヘッドマウントブラケット７７と重ね合わせることもできるため、収納しやすい。
【００５０】
該実施例において、ピン軸９は、前記貫通軸孔２Ａ１、２Ｂ１を貫通してイヤーピースデバイス７を接続する。具体的に、ピン軸９は、回転角軸９３及び停止位置フック９４をさらに含む。固定ベース５１のセパレータ５１５の軸心に、回転角軸９３と係合する貫通孔５１６と、停止位置フックに対応して係合する挟持溝５１７と、が設けられる。挟持溝５１７は貫通孔５１６の局部に沿って伸びる。停止位置フック９４は、弾性形変の特性を有し、すなわち、貫通孔５１６を通す時、制限圧縮によって変形して閉じ、貫通孔５１６を通した後、解放状態に戻り、挟持溝５１７を係合して固定組立を実現する。さらに、該着脱モジュールによってイヤーピースデバイス７を接続する。
【００５１】
好ましい実施例によるヘッドマウントディスプレイデバイス１００は、ユーザに多様な使用選択を提供する。ヘッドマウントブラケット７７、イヤーピースデバイス７及びディスプレイデバイス６のそれぞれは、着脱モジュールＢ、Ｃ、Ａによって接続機構８に装着される時、没入型ホームシアターなどを実現することができる。言うまでもなく、該モデルにおいて、ヘッドマウントブラケット７７を採用しなくてもよい。音楽をきくのみの時、着脱モジュールＡによって、ディスプレイデバイス６を取り外すことができる。異なるユーザの好みに対して、ヘッドマウントブラケット７７を個性的にすることができる。また、異なる効果音、音質の需要に対して、イヤーピースデバイス７を個性的にして変更することができる。他の実施形態において、接続機構８は、着脱モジュールＢを設けなくてもよく、着脱モジュールＣによって直接に既存のヘッドマウントイヤーピースと組み合わせ、すなわち、同様にヘッドマウントブラケットを有する。
【００５２】
他の実施形態において、前記着脱モジュールの組み立てる形態を柔軟に設けられ得、異なる製品の個性化の変更を実現する。
【００５３】
以上は、本発明の好ましい実施形態に過ぎないが、本発明の保護範囲はこれに限定されない。本出願に開示された技術範囲を逸脱することなく、当業者が容易に得ることができる変化又は置換は、本発明の保護範囲に入るものと見なすべきである。
【図１】
0006554178.tif 000002
【図２】
0006554178.tif 000003
【図３】
0006554178.tif 000004
【図４】
0006554178.tif 000005
【図５】
0006554178.tif 000006
【図６】
0006554178.tif 000007
【図７】
0006554178.tif 000008
【図８】
0006554178.tif 000009
【図９】
0006554178.tif 000010
【図１０】
0006554178.tif 000011
【図１１】
0006554178.tif 000012
【図１２】
0006554178.tif 000013
【図１３】
0006554178.tif 000014
【図１４】
0006554178.tif 000015
【図１５】
0006554178.tif 000016
【図１６】
0006554178.tif 000017
【図１７】
0006554178.tif 000018
【図１８】
0006554178.tif 000019